(57)【要約】【課題】  木や草花を植えた鉢に水遣りをした時に、鉢の底から流れ出た汚水が受け皿からあふれることなく溜めておくことができるようにするとともに、流れ出た汚水によって美観が損なわれることがないコースター型及びソーサー型の植木鉢用受け皿を提供する。【解決手段】  鉢の大きさに対して大きくて底が平らで浅い受け皿またはソーサーのような形状の受け皿の上に、中央部に孔を明け汚水が受け皿に流れ落ちるようにする構造とカバー内側に設けた突起によって受け皿とカバーの間に空間を確保できる構造を合わせ持つカバーを重ね合わせることにより、外見をコースター型及びソーサー型の形状にしたことを特徴とする受け皿を提供する。【選択図】図１
2014000067.tif 000002
【特許請求の範囲】
【請求項１】
鉢の大きさに対して大きくて底が平らで浅い受け皿２の上に、中央部に孔４を明け汚水が受け皿に流れ落ちるようにする構造と突起５によって受け皿２とカバー３の間に空間を確保しその空間に汚水を溜めておくことができる構造を合わせ持つカバー３を重ね合わせることにより、外見をコースター型の形状にしたことを特徴とする植木鉢用受け皿
【請求項２】
コーヒーカップの下に置くソーサーを大きくしたような形状の受け皿７の上に、中央部に孔９を明け汚水が受け皿７に流れ落ちるようにする構造と突起１０によって受け皿７とカバー８の間に空間を確保しその空間に汚水を溜めておくことができる構造を合わせ持つカバー８を重ね合わせることにより、外見をソーサー型の形状にしたことを特徴とする植木鉢用受け皿
【発明の詳細な説明】
【技術分野】
【０００１】木や草花を植えた鉢に水遣りをした時に鉢の底から流れ出る汚水を受け止める植木鉢用の受け皿に関するものである。
【背景技術】
【０００２】  鉢植えの木や草花は鉢の上から水をかけて給水する方法が一般的である。鉢の上から水をかけると鉢底の孔から土と水の混じった汚水が流れ出るので室内や玄関先など鉢の周囲を濡らしたくない所に植木鉢を置く場合は鉢の下に受け皿を置き汚水を受け止めている。【０００３】従来の植木鉢用受け皿は深い皿のような形状をしており鉢の底面よりも少しだけ大きいサイズのものが使われていた。従来の受け皿は鉢の大きさに対して受け皿のサイズが大きくないものが使われていたため、水遣りをした後に受け皿から汚水があふれでて鉢の周囲を濡らしてしまうことがあった。また水遣りをした時に草花の葉に水がかからないようにしないと葉に沿って水が鉢の外側に流れ落ち鉢の周りを濡らしてしまうこともあった。【０００４】  受け皿から水をあふれさせないようにするには鉢の下に置く受け皿のサイズを大きくすればよいが、従来の受け皿のように深い皿のような形状だとサイズが大きいものを植木鉢の下に置くと見た目のバランスが悪くなってしまう欠点があった。またサイズが大きいと鉢の底から流れ出た汚水が受け皿表面全体に広がってその汚れによって美観が大きく損なわれてしまう欠点があった。【０００５】  また従来のような鉢の底面よりも少しだけ大きいサイズで深い皿のような形状の受け皿では水遣りをした後に鉢の底から流れ出た汚水の中に鉢底が浸ってしまい、汚水を捨てないで鉢底が汚水に浸ったままにしておくと草花の成長を阻害する欠点があった。【０００６】  これらの欠点を改善するために特願２０１０−１４５５９２で人工芝を敷き詰めた植木鉢用受け皿を考案したが人工芝にかえて受け皿を覆うカバーを板状の素材にしたり受け皿を浅い皿状にすることにより、まったくデザインの異なるコースター型やソーサー型の受け皿を提供できるのであらたに提案する。
【先行技術文献】
【０００７】
【特許文献】
【特許文献】特願２０１０−１４５５９２
【発明の概要】
【発明が解決しようとする課題】
【０００８】  木や草花を植えた鉢に水遣りをした時に、鉢の底から流れ出た汚水が受け皿からあふれることなく溜めておくことができるようにするとともに、流れ出た汚水によって美観が損なわれることがないコースター型及びソーサー型の植木鉢用受け皿を提供する。
【課題を解決するための手段】
【０００９】  鉢の大きさに対して大きくて底が平らで浅い受け皿の上に、鉢の底から流れ出た汚水が受け皿に流れ落ちるようにする機能と受け皿とカバーの間に流れ出た汚水を溜めておくことができる空間を確保できるようにする機能を合わせ持つカバーを重ね合わせることにより、木や草花を植えた鉢に水遣りをした時に鉢の底から流れ出た汚水が受け皿からあふれにくくするとともに、受け皿に溜まった汚水が見えないように覆い隠すことができるコースター型の形状を特徴とする受け皿を提供する。【００１０】  また受け皿をコーヒーカップの下に置くソーサーのような浅くて大きい形状の受け皿にして、その上に鉢の底から流れ出た汚水が受け皿に流れ落ちるようにする機能と受け皿とカバーの間に流れ出た汚水を溜めておくことができる空間を確保できるようにする機能を合わせ持つカバーを重ね合わせることにより、木や草花を植えた鉢に水遣りをした時に鉢の底から流れ出た汚水が受け皿からあふれにくくするとともに、受け皿に溜まった汚水が見えないように覆い隠すことができるソーサー型の形状を特徴とする受け皿を提供する。【００１１】受け皿をコースター型またはソーサー型にすることにより、鉢底の大きさに対して大きな受け皿を鉢の下に置くことになるため薄くて浅い形状の受け皿でも鉢の底から流れ出る汚水を十分受け止める容量を確保し受け皿から水をあふれにくくすることができる。受け皿をコースターまたはソーサーのように薄くて浅い形状にすると鉢の底から流れ出た汚水が受け皿表面全体に広がるが受け皿の上にカバーを重ね合わせることにより受け皿に溜まった汚水を覆い隠すことができる。【００１２】鉢の底から流れ出た汚水によって美観を損なわないようにするには重ね合わせるカバー表面に汚水が広がらないようにして全て受け皿に流れ落ちるようにする。鉢底から流れ出た汚水が全て受け皿に流れ落ちるようにするためにはカバー中央部に孔を設ける。カバー中央部に設けた孔の周囲に傾斜をつけることにより汚水が受け皿に流れやすいようにする。【００１３】また葉や鉢に沿って流れ落ちた水もカバー表面に溜まらないようにして受け皿に流れ落ちるようにする。カバー表面に流れ落ちた水が受け皿に流れ落ちるようにするにはカバー表面に溝や傾斜をつける方法、カバー全体に小さな孔を開ける方法、カバーを網目状にする方法、吸水素材を利用する方法などがある。【００１４】受け皿とカバーの間に流れ出た汚水を溜めておくことができる空間を確保するにはカバーの内側に突起を設けてカバーと受け皿の間に空間ができるようにする。汚水を溜めておくことができる容量は受け皿の表面積と突起の高さによって任意に設定できる。受け皿のサイズと突起の高さは受け皿の上に置く鉢のサイズに合わせて設定する。【００１５】  受け皿とカバーの間に流れ出た汚水を溜めておくことができる空間を確保するための突起はカバーの内側に取り付ける方法の他に、別の部材として切り離して独立させカバーと受け皿の間に挟み込むようにして置いてもよい。また受け皿側に突起を設けてもよい。
カバー及び突起は上に置く鉢の重さを保持できる強度を確保する必要があるが強度が確保できれば形状、個数、配置は限定されるものではない。【００１６】  鉢の大きさに対して大きくて底が平らで浅い受け皿の上に、表面が平らなカバーを重ね合わせることにより受け皿の外見をコースター型にすることができる。またコーヒーカップの下に置くソーサーのような形状の浅くて大きい受け皿の上に、浅くて広い皿のような形状のカバーを重ね合わせることにより受け皿の外見をソーサー型にすることができる。【００１７】  コースター型の受け皿はコップの下に置くコースターにいろいろなデザインのものがあるのと同じように外見がコースターを大きくしたような形状であればその外見、色柄、大きさは自由に設定できる。【００１８】ソーサー型の受け皿もその外見、色柄、大きさを自由に設定できるが、コーヒーカップやティーカップがカップアンドソーサーという形でセットになって提供されているのと同じように植木鉢とソーサー型の受け皿をプランターアンドソーサーという形でセットにして提供することもできる。
【発明の効果】
【００１９】  本発明は、以上説明したように構成されており以下に記載したような効果を得ることができる。【００２０】  受け皿をコースターまたはソーサーのような形状にすることにより鉢底のサイズに対して大きい表面積をもつ受け皿を提供できるので水遣り時受け皿から汚水が溢れ出して周囲を濡らしてしまう可能性を最小限にすることができる。また水遣り時に葉や鉢の外側に水をかけてしまった場合でも葉や鉢の外側に沿って流れ落ちる水も受け止められる範囲が広がり鉢の周囲を水で濡らしてしまう可能性を最小限にすることができる。【００２１】  水遣り時に鉢の周囲を水で濡らしてしまう可能性を最小限にすることができれば、室内や玄関先などに置いた鉢植えの草花への水遣りが気楽にできるようになり、室内や玄関先など周囲を水で濡らしたくない場所でも鉢物の草花を飾りやすくなる。【００２２】  受け皿をコースター型またはソーサー型のような形状にすることにより、鉢植えの草花を単体で飾った時に鉢植えの草花全体の安定感と存在感が増し見栄えが良くなる。【００２３】  従来の受け皿はなるべく目立たないようにデザインされていたが、コースター型及びソーサー型の受け皿は植木鉢のサイズやデザイン、鉢植えの草花の種類に合わせていろいろなサイズ、形状、色柄、大きさのものを植木鉢の下に置くことができる。その組み合わせかえることによって鉢植えの草花全体の外見が大きく異なってくるので、鉢植えの草花とコースター型またはソーサー型の受け皿との組み合わせによる外見の変化を楽しむことができる。【００２４】  ソーサーのような形状の受け皿も同様に鉢植えの草花の種類に合わせていろいろな形状、色柄、大きさのもの組み合わせて楽しむことができるが、コーヒーカップやティーカップがソーサーとセットになって提供されているのと同じように植木鉢と受け皿の形状、色柄、大きさに統一性をもたせてセットにしたプランターアンドソーサーという形にして提供することができる。【００２５】  鉢の底から流れ出た汚水がカバー中央の孔から受け皿に流れ落ちるようにして受け皿とカバーの間の空間に汚水を溜める構造にすることにより、流れ出た汚水が受け皿に溜まったままの状態でも鉢底が汚水に浸ったままの状態にならないようにすることができる。水遣り後受け皿に溜まった汚水を捨てなくても草花の成長を阻害しない。【００２６】  受け皿とカバーを重ね合わせた構造にすることにより従来の受け皿と同じように簡単に汚水を捨てることができる。また受け皿とカバーの清掃も容易にできる。受け皿をコースターまたはソーサーのような形状にすることにより受け皿に溜まった汚水は横に広がるため小さな受け皿より蒸発しやすくなる。カバーを網目状にしたりカバーに小さな孔をいっぱい開けたりして通気性を確保すれば自然乾燥によって汚水を蒸発しやすくなる。自然乾燥によって汚水を蒸発すれば水遣り後に汚水を捨てる手間を省くことができる。【００２７】受け皿とカバーの間の空間に水を溜める構造にしカバー中央に孔が設けることにより、底面吸水を利用した鉢物の草花の給水用容器として受け皿を利用することができる。
【図面の簡単な説明】
【００２８】
【図１】はコースター型またはソーサー型の形状を特徴とする植木鉢用受け皿を鉢の下に置いた鉢植えの草花全体の斜視図を示す。
【図２】はコースター型の形状を特徴とする植木鉢用受け皿の平面図を示す。
【図３】はコースター型の形状を特徴とする植木鉢用受け皿の断面図を示す。
【図４】はソーサー型の形状を特徴とする植木鉢用受け皿の平面図を示す。
【図５】はソーサー型の形状を特徴とする植木鉢用受け皿の断面図を示す。
【発明を実施するための形態】
【００２９】発明の実施の形態を代表的な実施例にもとづき図面１から図面５を参照して説明する。
【実施例】
【００３０】  図１、図２及び図３に示すように鉢１の大きさに対して大きくて底が平らで浅い受け皿２の上に、鉢の底から流れ出た汚水が受け皿２に流れ落ちるようにするとともに流れ落ちた汚水をカバー３と受け皿２の間に溜めておくことができる空間を確保するための突起６を内側に設けたカバー３を重ね合わせて汚水を覆い隠すことにより、外見をコースター型の形状にする。【００３１】受け皿２に溜まった水が見えないようにするとともに水を受け皿２に溜めておくことができる空間を確保するための突起６を内側に設けたカバー３は中央部に孔４を設け鉢底から流れ出た汚水が直接受け皿２に流れ落ちるようにする。カバー中央部に設けた孔４の周囲に傾斜６をつけることにより汚水が受け皿に流れやすいようにする。
カバー３表面は溝や傾斜をつける方法、カバー全体に小さな孔を開ける方法、カバーを網目状にする方法により、水がカバー３表面に溜まらず受け皿２に流れ落ちるようにする。カバー３表面は吸水素材を利用して葉や鉢にかかった水を吸い込んでしまうようにしてもよい。【００３２】図２、図３に示す実施例ではカバー３中央部に孔４を設け孔の周りに傾斜をつけた事例を示す。カバー３中央の孔４の周りに傾斜６をつけることにより鉢の底から流れ出た汚水がカバー表面に広がることなく受け皿に流れ落ちるようにするとともに受け皿２とカバー３の間の空間に溜まった汚水の量が分かりやすくなる。【００３３】図２、図３に示す実施例ではカバー３の内側に突起５を設け受け皿２とカバー３の間に汚水を溜めておく空間を確保した事例を示す。受け皿２とカバー３の間に水を溜めておく空間を確保するためにカバー３の内側に突起５を設ける。カバー３の内側に突起５を設ける方法の他に、突起５の部分を別の部材として切り離して独立させカバー３と受け皿２の間に挟み込むようにして置いてもよい。また受け皿２側に突起５を設けても良い。【００３４】図２、図３に示す実施例ではカバー３の内側に８個の突起５を設けた事例を示す。カバー３及び突起５は上に置く鉢１の重さを保持できる強度を確保する必要があるが強度が確保できれば形状や個数は実施例の個数、形状および配置に限定されるものではない。【００３５】  また図１、図４及び図５に示すようにコーヒーカップの下に置くソーサーのような浅くて大きい形状の受け皿７の上に、鉢の底から流れ出た汚水が受け皿７に流れ落ちるようにするとともに流れ落ちた汚水をカバー８と受け皿７の間に溜めておくことができる空間を確保するための突起１０を内側に設けたカバー８を重ね合わせて汚水を覆い隠すことにより、受け皿７の外見をソーサー型の形状にする。【００３６】図４、図５に示す実施例ではカバー８を受け皿７の内側の形状に沿うように傾斜をつけた形状にしカバー８の中央部に孔９を設けることにより、鉢の底から流れ出た汚水がカバー８の表面に溜まらず受け皿７に流れ落ちるようにする。カバー８中央の孔９の周りに傾斜１１をつけることにより鉢の底から流れ出た汚水がカバー表面に広がることなく受け皿に流れ落ちるようにするとともに受け皿７とカバー８の間の空間に溜まった汚水の量が分かりやすくなる。【００３７】図４、図５に示す実施例ではカバー８の内側に突起１０を設け受け皿７とカバー８の間に汚水を溜めておく空間を確保した事例を示す。受け皿７とカバー８の間に水を溜めておく空間を確保するためにカバー８の内側に突起１０を設ける。カバー８の内側に突起１０を設ける方法の他に、突起１０の部分を別の部材として切り離して独立させカバー８と受け皿７の間に挟み込むようにして置いてもよい。また受け皿７側に突起１０を設けても良い。【００３８】図４、図５に示す実施例ではカバー８の内側に８個の突起１０を設けた事例を示す。カバー８及び突起１０は上に置く鉢１の重さを保持できる強度を確保する必要があるが強度が確保できれば形状や個数は実施例の個数、形状および配置に限定されるものではない。
【産業上の利用可能性】
【００３９】水やりのときに周囲を水で濡らしてしまう心配が少なくなれば室内でも気軽に鉢植えの木や草花を置きやすくなり鉢植えの木や草花の需要を拡大することが期待できる。
【符号の説明】
【００４０】１    植木鉢
２    受け皿
３    カバー
４    孔
５    受け皿とカバーの間に空間を確保するための突起
６    孔の周りにつけた傾斜
７    受け皿
８    カバー
９    孔
１０  受け皿とカバーの間に空間を確保するための突起
１１  孔の周りにつけた傾斜
【図１】
2014000067.tif 000003
【図２】
2014000067.tif 000004
【図３】
2014000067.tif 000005
【図４】
2014000067.tif 000006
【図５】
2014000067.tif 000007